(57)【特許請求の範囲】
【請求項１】
前面枠と、該前面枠に対して開閉可能な開閉体と、該開閉体に設けられた開閉側球流下路と、前面枠側に設けられた枠側球流下路と、を備え、開閉体を閉じると開閉側球流下路と枠側球流下路とが前後に重なる状態で連通して、遊技球を枠側球流下路から開閉側球流下路へ流下可能となる遊技機において、
前記枠側球流下路の下流開口には枠側流出規制機構を臨ませて設け、
前記開閉側球流下路の上流開口には開閉側流出規制機構を臨ませて設け、
前記枠側流出規制機構は、枠側球流下路の下流開口に出没可能な枠側ストッパーと、該枠側ストッパーの出没動作を行う出没変換部と、を備え、
該出没変換部は、
前側が蓋で閉成された収容ケースを備え、
前記収容ケースは、
前記枠側ストッパーを接続した状態で移動可能な上側の第１アームおよび下側の第２アームと、
該第１アームおよび第２アームの移動を規制したり許容したりする移動規制機構と、
を収容して構成し、
前記第１アームと前記第２アームとは、互いに平行な姿勢であり、且つ前記枠側球流下路の下流開口側から前記開閉側球流下路の上流開口側へ向かう遊技球の流下方向とは直交する方向に沿って延在する横向き状態で上下に配置され、
前記第１アームは、
一端を前記枠側ストッパーに軸着し、他端を前記収容ケース内に軸着して上下方向へ回動可能とし、該一端と他端との間の中間部に一端を当該第１アームより上方に係止した付勢部材の他端を係止し、
前記収容ケースに軸着した軸着部を挟んで前記枠側ストッパーとは反対側には、上下両縁部を前記移動規制機構側へ突出するとともに上下両縁部の間を枠側ストッパー側へ凹ませて前記移動規制機構の一部を係合可能に構成した係合受部を設け、
前記第２アームは、
一端を前記枠側ストッパーに軸着し、他端を前記収容ケース内に軸着して上下方向へ回動可能とし、
前記開閉側流出規制機構は、開閉側球流下路の上流開口に出没可能な開閉側ストッパーと、開閉側ストッパーを出没方向へガイドする開閉側ガイド部と、開閉側ストッパーに止着された第１磁性体と、開閉側ガイド部に止着された第２磁性体と、を備え、
前記枠側ストッパーと開閉側ストッパーとをストッパー係合部により係合可能とし、
前記開閉体を開くと、前記移動規制機構の一部と前記第１アームの係合受部との係合が外れて、前記付勢部材の付勢力により前記第１アームおよび第２アームが回動することで、前記枠側ストッパーを枠側球流下路の下流開口へ突出して遊技球が枠側球流下路の下流開口から流出することを規制するとともに、枠側ストッパーに係合する開閉側ストッパーを開閉側球流下路の上流開口へ突出して遊技球が開閉側球流下路の上流開口から流出することを規制し、
前記開閉体を閉じると、前記移動規制機構の一部が前記第１アームの係合受部と係合して、前記付勢部材の付勢力に抗して前記第１アームおよび第２アームが回動することで、前記枠側ストッパーを枠側球流下路の下流開口から引き抜いて遊技球が枠側球流下路の下流開口から流出することを許容するとともに、枠側ストッパーに係合する開閉側ストッパーを開閉側球流下路の上流開口から引き抜いて遊技球が開閉側球流下路の上流開口へ流入することを許容し、
前記開閉側ストッパーを開閉側球流下路の上流開口へ突出した状態では、第１磁性体と第２磁性体とが近接し、第１磁性体と第２磁性体との間に発生する磁力により開閉側ストッパーを突出状態に維持可能としたことを特徴とする遊技機。
【請求項２】
前記移動規制機構は、開閉体側へ引き出し可能であるとともに先端部を開閉体へ当接可能な当接ロッドと、該当接ロッドに連動して前記第１アームを操作する規制操作部と、を備え、
該規制操作部の一部を前記第１アームの係合受部に係合可能とし、
前記当接ロッドの先端部には、開閉体へ吸着可能な吸着部を設け、
前記開閉体を開くと、当接ロッドが吸着部を開閉体へ吸着した状態で引き出され、この引き出し動作に連動して規制操作部が前記第１アームおよび第２アームの移動を許容し、付勢部材の付勢力により枠側ストッパーを枠側球流下路の下流開口へ突出して遊技球が枠側球流下路の下流開口から流出することを規制し、
前記開閉体を閉じると、当接ロッドが前面枠側へ押圧され、この押圧動作に連動して規制操作部が前記第１アームおよび第２アームを操作して枠側ストッパーを枠側球流下路の下流開口から引き抜き、この引き抜き状態で前記第１アームおよび第２アームの移動を規制して遊技球が枠側球流下路の下流開口から流出することを許容するように構成されたことを特徴とする請求項１に記載の遊技機。
【請求項３】
前記開閉体のうち当接ロッドの吸着部に対向する箇所に被吸着部材を配置し、
該被吸着部材を開閉側付勢部材により吸着部側へ付勢することを特徴とする請求項２に記載の遊技機。
【請求項４】
前記吸着部を開閉体側へ向けて揺動可能とするとともに、吸着側付勢部材により開閉体側へ付勢することを特徴とする請求項２に記載の遊技機。
【発明の詳細な説明】
【技術分野】
【０００１】
本発明は、前面枠と、該前面枠に対して開閉可能な開閉体と、該開閉体に設けられた開閉側球流下路と、前面枠側に設けられた枠側球流下路とを備え、開閉体を閉じると開閉側球流下路と枠側球流下路とが連通して、遊技球を枠側球流下路から開閉側球流下路へ流下可能となるパチンコ遊技機等の遊技機に関する。
【背景技術】
【０００２】
従来の遊技機、例えば、パチンコ遊技機においては、前面枠の前側に一側が軸着された開閉体としての貯留皿ユニット（球受皿）を備え、該貯留皿ユニットには遊技球を貯留可能な球貯留部（開閉側球流下路）を設けている。また、前面枠には、遊技球を流下可能な枠側球流下路を備え、貯留皿ユニットを前面枠に対して閉じた状態で枠側球流下路の下流開口（払出し口）と球貯留部とを連通して、遊技球を枠側球流下路から球貯留部へ供給できるように構成されている。さらに、下流開口を開閉して遊技球の流下を規制可能な流下規制部材（遮蔽部材、ストッパー）を備え、貯留皿ユニットを開くと流下規制部材により下流開口を閉じて、枠側球流下路から遊技球が落下する不具合を防ぐように構成されている（例えば、特許文献１参照）。
【特許文献１】特開２００３−２０５１５５号公報
【発明の開示】
【発明が解決しようとする課題】
【０００３】
ところで、上記特許文献に記載のパチンコ遊技機において、貯留皿ユニットを開くには、まず、貯留皿ユニットの上方に配置された窓枠を開放して貯留皿ユニットのロック機構を露出する。そして、ロック機構を露出したならば、このロック機構を操作して貯留皿ユニットのロックを解除するとともに下流開口を流下規制部材で閉じる必要がある。このため、貯留皿ユニットを開くまでの手順が面倒であり、貯留皿ユニットの開閉操作が必要なメンテナンス作業を効率よく行うことができない。
【０００４】
本発明は、上記の事情に鑑みてなされたものであり、その目的は、開閉体の開閉操作とは別個の操作を行わずに開閉側球流下路への遊技球の流下を規制したり許容したりすることができ、開閉体の開閉操作が必要なメンテナンス作業を効率よく行うことができる遊技機を提供しようとするものである。
【課題を解決するための手段】
【０００５】
本発明は、上記目的を達成するために提案されたものであり、請求項１に記載のものは、前面枠と、該前面枠に対して開閉可能な開閉体と、該開閉体に設けられた開閉側球流下路と、前面枠側に設けられた枠側球流下路と、を備え、開閉体を閉じると開閉側球流下路と枠側球流下路とが前後に重なる状態で連通して、遊技球を枠側球流下路から開閉側球流下路へ流下可能となる遊技機において、
前記枠側球流下路の下流開口には枠側流出規制機構を臨ませて設け、
前記開閉側球流下路の上流開口には開閉側流出規制機構を臨ませて設け、
前記枠側流出規制機構は、枠側球流下路の下流開口に出没可能な枠側ストッパーと、該枠側ストッパーの出没動作を行う出没変換部と、を備え、
該出没変換部は、
前側が蓋で閉成された収容ケースを備え、
前記収容ケースは、
前記枠側ストッパーを接続した状態で移動可能な上側の第１アームおよび下側の第２アームと、
該第１アームおよび第２アームの移動を規制したり許容したりする移動規制機構と、
を収容して構成し、
前記第１アームと前記第２アームとは、互いに平行な姿勢であり、且つ前記枠側球流下路の下流開口側から前記開閉側球流下路の上流開口側へ向かう遊技球の流下方向とは直交する方向に沿って延在する横向き状態で上下に配置され、
前記第１アームは、
一端を前記枠側ストッパーに軸着し、他端を前記収容ケース内に軸着して上下方向へ回動可能とし、該一端と他端との間の中間部に一端を当該第１アームより上方に係止した付勢部材の他端を係止し、
前記収容ケースに軸着した軸着部を挟んで前記枠側ストッパーとは反対側には、上下両縁部を前記移動規制機構側へ突出するとともに上下両縁部の間を枠側ストッパー側へ凹ませて前記移動規制機構の一部を係合可能に構成した係合受部を設け、
前記第２アームは、
一端を前記枠側ストッパーに軸着し、他端を前記収容ケース内に軸着して上下方向へ回動可能とし、
前記開閉側流出規制機構は、開閉側球流下路の上流開口に出没可能な開閉側ストッパーと、開閉側ストッパーを出没方向へガイドする開閉側ガイド部と、開閉側ストッパーに止着された第１磁性体と、開閉側ガイド部に止着された第２磁性体と、を備え、
前記枠側ストッパーと開閉側ストッパーとをストッパー係合部により係合可能とし、
前記開閉体を開くと、前記移動規制機構の一部と前記第１アームの係合受部との係合が外れて、前記付勢部材の付勢力により前記第１アームおよび第２アームが回動することで、前記枠側ストッパーを枠側球流下路の下流開口へ突出して遊技球が枠側球流下路の下流開口から流出することを規制するとともに、枠側ストッパーに係合する開閉側ストッパーを開閉側球流下路の上流開口へ突出して遊技球が開閉側球流下路の上流開口から流出することを規制し、
前記開閉体を閉じると、前記移動規制機構の一部が前記第１アームの係合受部と係合して、前記付勢部材の付勢力に抗して前記第１アームおよび第２アームが回動することで、前記枠側ストッパーを枠側球流下路の下流開口から引き抜いて遊技球が枠側球流下路の下流開口から流出することを許容するとともに、枠側ストッパーに係合する開閉側ストッパーを開閉側球流下路の上流開口から引き抜いて遊技球が開閉側球流下路の上流開口へ流入することを許容し、
前記開閉側ストッパーを開閉側球流下路の上流開口へ突出した状態では、第１磁性体と第２磁性体とが近接し、第１磁性体と第２磁性体との間に発生する磁力により開閉側ストッパーを突出状態に維持可能としたことを特徴とする遊技機である。
【０００６】
請求項２に記載のものは、前記移動規制機構は、開閉体側へ引き出し可能であるとともに先端部を開閉体へ当接可能な当接ロッドと、該当接ロッドに連動して前記第１アームを操作する規制操作部と、を備え、
該規制操作部の一部を前記第１アームの係合受部に係合可能とし、
前記当接ロッドの先端部には、開閉体へ吸着可能な吸着部を設け、
前記開閉体を開くと、当接ロッドが吸着部を開閉体へ吸着した状態で引き出され、この引き出し動作に連動して規制操作部が前記第１アームおよび第２アームの移動を許容し、付勢部材の付勢力により枠側ストッパーを枠側球流下路の下流開口へ突出して遊技球が枠側球流下路の下流開口から流出することを規制し、
前記開閉体を閉じると、当接ロッドが前面枠側へ押圧され、この押圧動作に連動して規制操作部が前記第１アームおよび第２アームを操作して枠側ストッパーを枠側球流下路の下流開口から引き抜き、この引き抜き状態で前記第１アームおよび第２アームの移動を規制して遊技球が枠側球流下路の下流開口から流出することを許容するように構成されたことを特徴とする請求項１に記載の遊技機である。
【０００７】
請求項３に記載のものは、前記開閉体のうち当接ロッドの吸着部に対向する箇所に被吸着部材を配置し、
該被吸着部材を開閉側付勢部材により吸着部側へ付勢することを特徴とする請求項２に記載の遊技機である。
【０００８】
請求項４に記載のものは、前記吸着部を開閉体側へ向けて揺動可能とするとともに、吸着側付勢部材により開閉体側へ付勢することを特徴とする請求項２に記載の遊技機である。
【発明の効果】
【０００９】
本発明によれば、以下のような優れた効果を奏する。
請求項１に記載の発明によれば、枠側球流下路の下流開口には枠側流出規制機構を臨ませて設け、開閉側球流下路の上流開口には開閉側流出規制機構を臨ませて設け、枠側流出規制機構は、枠側球流下路の下流開口に出没可能な枠側ストッパーと、該枠側ストッパーの出没動作を行う出没変換部と、を備え、該出没変換部は、前側が蓋で閉成された収容ケースを備え、収容ケースは、枠側ストッパーを接続した状態で移動可能な上側の第１アームおよび下側の第２アームと、該第１アームおよび第２アームの移動を規制したり許容したりする移動規制機構と、を収容して構成し、第１アームと第２アームとは、互いに平行な姿勢であり、且つ枠側球流下路の下流開口側から開閉側球流下路の上流開口側へ向かう遊技球の流下方向とは直交する方向に沿って延在する横向き状態で上下に配置され、第１アームは、一端を枠側ストッパーに軸着し、他端を収容ケース内に軸着して上下方向へ回動可能とし、該一端と他端との間の中間部に一端を当該第１アームより上方に係止した付勢部材の他端を係止し、収容ケースに軸着した軸着部を挟んで枠側ストッパーとは反対側には、上下両縁部を移動規制機構側へ突出するとともに上下両縁部の間を枠側ストッパー側へ凹ませて移動規制機構の一部を係合可能に構成した係合受部を設け、第２アームは、一端を枠側ストッパーに軸着し、他端を収容ケース内に軸着して上下方向へ回動可能とし、開閉側流出規制機構は、開閉側球流下路の上流開口に出没可能な開閉側ストッパーと、開閉側ストッパーを出没方向へガイドする開閉側ガイド部と、開閉側ストッパーに止着された第１磁性体と、開閉側ガイド部に止着された第２磁性体と、を備え、枠側ストッパーと開閉側ストッパーとをストッパー係合部により係合可能とし、開閉体を開くと、移動規制機構の一部と第１アームの係合受部との係合が外れて、付勢部材の付勢力により第１アームおよび第２アームが回動することで、枠側ストッパーを枠側球流下路の下流開口へ突出して遊技球が枠側球流下路の下流開口から流出することを規制するとともに、枠側ストッパーに係合する開閉側ストッパーを開閉側球流下路の上流開口へ突出して遊技球が開閉側球流下路の上流開口から流出することを規制し、開閉体を閉じると、移動規制機構の一部が第１アームの係合受部と係合して、付勢部材の付勢力に抗して第１アームおよび第２アームが回動することで、枠側ストッパーを枠側球流下路の下流開口から引き抜いて遊技球が枠側球流下路の下流開口から流出することを許容するとともに、枠側ストッパーに係合する開閉側ストッパーを開閉側球流下路の上流開口から引き抜いて遊技球が開閉側球流下路の上流開口へ流入することを許容するので、開閉体の開閉操作とは別個の操作を行わずに開閉側球流下路への遊技球の流下を規制したり許容したりすることができる。したがって、開閉体の開閉操作が必要な遊技機のメンテナンス作業を効率よく行うことができる。
【００１０】
また、開閉側ストッパーを開閉側球流下路の上流開口へ突出した状態では、第１磁性体と第２磁性体とが近接し、第１磁性体と第２磁性体との間に発生する磁力により開閉側ストッパーを突出状態に維持可能としたので、開閉体を開いた状態で開閉側ストッパーが不用意に開閉側球流下路の上流開口から引き抜かれる不都合、ひいては開閉側球流下路の上流開口から遊技球が落下する不都合を阻止することができる。
【００１１】
請求項２に記載の発明によれば、移動規制機構は、開閉体側へ引き出し可能であるとともに先端部を開閉体へ当接可能な当接ロッドと、該当接ロッドに連動して第１アームを操作する規制操作部と、を備え、該規制操作部の一部を前記第１アームの係合受部に係合可能とし、当接ロッドの先端部には、開閉体へ吸着可能な吸着部を設け、開閉体を開くと、当接ロッドが吸着部を開閉体へ吸着した状態で引き出され、この引き出し動作に連動して規制操作部が第１アームおよび第２アームの移動を許容し、付勢部材の付勢力により枠側ストッパーを枠側球流下路の下流開口へ突出して遊技球が枠側球流下路の下流開口から流出することを規制し、開閉体を閉じると、当接ロッドが前面枠側へ押圧され、この押圧動作に連動して規制操作部が第１アームおよび第２アームを操作して枠側ストッパーを枠側球流下路の下流開口から引き抜き、この引き抜き状態で第１アームおよび第２アームの移動を規制して遊技球が枠側球流下路の下流開口から流出することを許容するように構成したので、開閉体が前面枠に対して予め設定された取付位置から上下方向あるいは左右方向にずれて取り付けられていたとしても、開閉体を開閉したにも拘らず当接ロッドが移動しないという不具合を阻止することができる。これにより、枠側ストッパーおよび開閉側ストッパーの出没動作、ひいては枠側球流下路および開閉側球流下路からの遊技球の流出の規制動作あるいは許容動作を支障なく行うことができる。
【００１２】
請求項３に記載の発明によれば、開閉体のうち当接ロッドの吸着部に対向する箇所に被吸着部材を配置し、該被吸着部材を開閉側付勢部材により吸着部側へ付勢するので、開閉体が前面枠に対して予め設定された取付位置から前後方向にずれて取り付けられていたとしても、被吸着部材が予め設定された位置よりも前方に配置されて開閉体が当接ロッドを押圧しないという不具合、さらには、被吸着部材が予め設定された位置よりも後方に配置されて当接ロッドに突っ掛かって開閉体が十分に閉じられないという不具合を阻止することができる。したがって、開閉体を閉じたにも拘らず各ストッパーが各球流下路の開口から引き抜かれないという不具合を抑えることができ、開閉体の閉状態時に遊技球を枠側球流下路から開閉側球流下路へ支障なく流下させることができる。
【００１３】
請求項４に記載の発明によれば、吸着部を開閉体側へ向けて揺動可能とするとともに、吸着側付勢部材により開閉体側へ付勢するので、開閉体が前面枠に対して予め設定された取付位置から前後方向にずれて取り付けられていたとしても、吸着部が開閉体に吸着しないという不具合を阻止することができる。したがって、開閉体を閉じたにも拘らず各ストッパーが各球流下路の開口から引き抜かれないという不具合を抑えることができ、開閉体の閉状態時に遊技球を枠側球流下路から開閉側球流下路へ支障なく流下させることができる。
【発明を実施するための最良の形態】
【００１４】
以下、代表的な遊技機であるパチンコ遊技機を例に挙げて本発明の実施の最良の形態を図面に基づき説明する。図１はパチンコ遊技機の正面図、図２は前面側を開放したパチンコ遊技機の斜視図である。
パチンコ遊技機１は、図１および図２に示すように、機枠（外枠）２に前面枠（内枠）３を開閉可能に軸着し、この前面枠３のベースとなる前面枠本体４の上部には矩形状の遊技盤５を収納可能とし、該遊技盤５の表面（前面）に遊技領域６を区画形成し、遊技盤５の下方には変動表示ユニット７を着脱可能な状態で配置している。また、前面枠本体４の前面側には、一側（図１中、左側）が軸着された透明部材保持枠１１（本発明における開閉体に相当）を前後方向へ開閉（回動）可能に設け、該透明部材保持枠１１に透視可能な透明部材１２を保持し、透明部材保持枠１１の下部には、遊技球を貯留可能な球貯留ユニット１３を備えている。そして、透明部材保持枠１１を閉じると、遊技盤５が透明部材保持枠１１に覆われるとともに、透明部材１２が遊技領域６の前方に配置され、透明部材１２を通して遊技領域６と変動表示ユニット７とを上下に並んだ状態で前方から視認できるように構成されている。さらに、前面枠本体４のうち閉状態の透明部材保持枠１１の下部に隣接する箇所には棚部１５を前面枠本体４の下部から前方へ突出して前後方向に厚肉な状態で配置している。そして、棚部１５の前面の一側（図１中、左側）には、遊技者が遊技中に操作可能な遊技演出用ボタン１６を備え、他側（図１中、右側）には、遊技者が遊技球を発射するために操作する発射操作ユニット（発射操作ハンドル）１７を備えている。
【００１５】
前面枠本体４は、大きな矩形状の開口を上寄りに開設した合成樹脂製枠体であり、開口に遊技盤５と変動表示ユニット７とを上下に並べて収納し、遊技盤５の前方には、透明なガラス板で形成された略蒲鉾形状の遊技盤カバー２０を配置し、ヒンジ機構（図示せず）を介して遊技盤カバー２０の下縁部を前面枠本体４の一部、具体的には遊技盤５の下部が載置される箇所の前縁部に軸着し、下方へ回動して倒伏姿勢にすると、遊技盤５（遊技領域６）の前方を開放できるように構成されている。また、図２に示すように、変動表示ユニット７と棚部１５との間には、変動表示ユニット７が載置される表示ユニット載置部２１を棚部１５よりも後方の位置に配置し、棚部１５の上方、且つ表示ユニット載置部２１の前方に球貯留ユニットを配置可能としている。そして、前面枠本体４のうち球貯留ユニット１３の後方に位置する箇所の一側寄り（図２中、右寄り）には、球排出装置（図示せず）から排出された遊技球を流下可能な枠側球流下路２５を備えている。さらに、該枠側球流下路２５の下流開口２５ａを変動表示ユニット７と表示ユニット載置部２１との間から前方へ臨ませ、透明部材保持枠１１を閉じると枠側球流下路２５と球貯留ユニット１３とが前後に並んで連通し、遊技球を枠側球流下路２５から球貯留ユニット１３へ供給できるように構成されている。なお、枠側球流下路２５については、後で詳細に説明する。
【００１６】
また、前面枠本体４のうち球貯留ユニット１３の後方に位置する箇所の他側寄り（図２中、左寄り）には、遊技球が１個ずつ通過可能な球送り流路２７を設け、該球送り流路２７の後方には、球貯留ユニット１３に貯留された遊技球を遊技領域６へ向けて発射可能な発射装置２８を配置している。そして、球貯留ユニット１３から流下してきた遊技球が球送り流路２７を通過して発射装置２８へ到達するように構成されている。
【００１７】
球貯留ユニット１３は、前方へ膨出した球貯留皿３１を備え、該球貯留皿３１の内部を下方へ凹ませて球貯留空間部３３を形成し、該球貯留空間部３３の後部には短尺な開閉側球流下路（排出連通口）３５を開設し、透明部材保持枠１１を閉じると、枠側球流下路２５の下流開口２５ａと開閉側球流下路３５の上流開口３５ａとが前後に重なる状態で連通して、遊技球を枠側球流下路２５から開閉側球流下路３５へ流下可能としている（図３参照）。さらに、球貯留皿３１の後側には、球貯留空間部３３から下り傾斜した球整列路（図示せず）を設け、該球整列路の下流端には、透明部材保持枠１１の裏面側へ向けて下り傾斜する球導出路３６を連通している。そして、透明部材保持枠１１を閉じると、球導出路３６と球送り流路２７とを前後に重ねる状態で連通し、球導出路３６および球送り流路２７を介して、球貯留皿３１内の遊技球を発射装置２８へ供給することができるように構成されている。なお、開閉側球流下路３５の周辺の構成については、後で詳細に説明する。
【００１８】
次に、枠側球流下路２５について説明する。
枠側球流下路２５の底部には、図４（ａ）に示すように、枠側球流下路２５の幅方向に並んだ複数（本実施形態では４本）の球支持突条部４５を前後方向、言い換えると枠側球流下路２５の延設方向に沿って延設し、隣り合う球支持突条部４５の間隔を遊技球の直径よりも狭い寸法に設定している。また、球支持突条部４５の細長い短冊状の上面を前方、言い換えると枠側球流下路２５の下流開口２５ａ側へ向けて下り傾斜させて遊技球が転動可能な球転動部４６とし、透明部材保持枠１１を閉じた状態で球転動部４６の傾斜下端と球貯留ユニット１３の開閉側球流下路３５とが近接し、球貯留空間部３３の底部が球転動部４６よりも僅かに低い位置で球転動部４６の前方に配置されるように構成されている（図３（ａ）参照）。さらに、隣り合う球転動部４６の傾斜下端の間を上下方向へ貫通させて出没空間部４８を形成している。
【００１９】
また、枠側球流下路２５の下方には枠側流出規制機構５０を下流開口２５ａに臨ませて設けている。枠側流出規制機構５０は、図４（ａ）および（ｂ）に示すように、下流開口２５ａに出没可能な枠側ストッパー５２と、該枠側ストッパー５２の出没動作を行う出没変換部５３とを備え、枠側ストッパー５２を出没変換部５３の前方に配置している。そして、枠側ストッパー５２のうち後述する枠側出没片（流出規制部材）５５を下流開口２５ａへ突出して遊技球が枠側球流下路２５から流出（流下）することを規制する流出規制状態（図３（ｂ）参照）と、枠側出没片５５を下流開口２５ａから引き抜いて遊技球が枠側球流下路２５から流出（流下）することを許容する流出許容状態（図３（ａ）参照）とに変換できるように構成されている。
【００２０】
枠側ストッパー５２は、横向き平板状のストッパーベース５６を備え、該ストッパーベース５６の前後方向の一端（前端）には、縦長な櫛歯状の枠側出没片５５を下流開口２５ａの幅方向に沿って複数本（本実施形態では３本）並べて設けるとともに、ストッパーベース５６の上方へ向けて延設している。また、枠側出没片５５の幅（左右幅）を出没空間部４８よりも狭く設定するとともに、隣り合う枠側出没片５５の間隔を遊技球よりも狭く、且つ球支持突条部４５の幅よりも広く設定し、流出規制状態では枠側出没片５５を出没空間部４８に通して下流開口２５ａへ突出し、流出許容状態では枠側出没片５５を下流開口２５ａおよび出没空間部４８から引き抜いて球転動部４６よりも下方へ位置するように構成されている。さらに、枠側出没片５５の上端部を尖らせて球列間挿入部５８を形成し、該球列間挿入部５８から枠側出没片５５を下流開口２５ａへ挿入できるように構成されている。そして、ストッパーベース５６の前後方向の他端（後端）には、出没変換部５３へ接続するための規制接続部５９を下方へ向けて延設し、該規制接続部５９を出没変換部５３の内部に配置している。なお、規制接続部５９と枠側出没片５５とを接続するストッパーベース５６は、出没変換部５３の内部から外部へ延設する状態で配置されている。
【００２１】
出没変換部５３は、図４（ｂ）および図５に示すように、前側が蓋６１ａで閉成された収容ケース６１を備え、該収容ケース６１の内部に、枠側ストッパー５２（枠側出没片５５）を接続した状態で移動（回動）可能な２本の移動アーム６３（上側の第１アーム６３ａおよび下側の第２アーム６３ｂ）と、該移動アーム６３の移動（回動）を規制したり許容したりする移動規制機構６４とを収容して構成されている。第１アーム６３ａおよび第２アーム６３ｂは、互いに平行な姿勢であり、且つ枠側球流下路２５の下流開口２５ａ側から開閉側球流下路３５の上流開口３５ａ側へ向かう遊技球の流下方向とは直交する方向に沿って延在する横向き状態（すなわち、図５に示すように、遊技球の流下方向に対して横向きであって、上下に平行にずれた状態）で配置されており、一端（図５（ａ）中、右端）を収容ケース６１内に軸着して上下方向へ回動可能とし、他端を規制接続部５９へ軸着して、枠側ストッパー５２がガタつくことなくスムーズに上下動できるように構成されている。また、上側の第１アーム６３ａの中間部（第１アーム６３ａの軸着した一端と他端の間）にはコイルばね等の付勢部材６６の一端を係止し、該付勢部材６６の他端を収容ケース６１のうち第１アーム６３ａよりも上方の位置に係止して、付勢部材６６の付勢力により第１アーム６３ａとともに規制接続部５９、ストッパーベース５６、枠側ストッパー５２を引き上げる方向、すなわち枠側ストッパー５２の枠側出没片５５が下流開口２５ａへ突出する方向へ常時付勢している。そして、第１アーム６３ａのうち収容ケース６１に軸着した軸着部を挟んで枠側ストッパー５２とは反対側には係合受部６８を設け、該係合受部６８の上下両縁部を移動規制機構６４側へ突出し、この上下両縁部の間を枠側ストッパー５２側へ凹ませて移動規制機構６４の一部を係合可能としている。
【００２２】
移動規制機構６４は、上下方向へ移動可能な係合ロッド７０（本発明における規制操作部に相当）と、先端部を透明部材保持枠１１に当接可能であり、前後方向へ移動可能、言い換えると透明部材保持枠１１側へ引き出し可能な当接ロッド７１と、Ｌ字状に屈曲し、係合ロッド７０と当接ロッド７１とを連結する連結部材７２とを備えて構成されている。また、係合ロッド７０には係合突起７３を第１アーム６３ａ側（図５（ａ）中、左側）へ向けて突設し、該係合突起７３を第１アーム６３ａの係合受部６８へ係合し、係合ロッド７０を移動すると、係合突起７３および係合受部６８を介して第１アーム６３ａを操作できるように構成されている。そして、当接ロッド７１の先端部（前端部）に当接ヘッド７１ａ（本発明における吸着部に相当）を備え、当接ロッド７１を前後方向へ移動して当接ヘッド７１ａを蓋６１ａに開設された出没開口６１ｂから出没可能としている。さらに、連結部材７２の屈曲部を収容ケース６１の側部に軸着して連結部材７２を上下方向へ回動自在とし、屈曲部から上方へ伸びた腕の先端部を当接ロッド７１の後端部へ軸着するとともに、屈曲部から前方へ伸びた腕の先端部を係合ロッド７０の上端部に軸着している（図５（ｂ），（ｄ），（ｆ）参照）。したがって、係合ロッド７０は、当接ロッド７１に連動して係合突起７３および係合受部６８を上下動させて第１アーム６３ａを操作するように構成されている。なお、当接ヘッド７１ａの内部には永久磁石等の吸着部材７１ｂを収納し、透明部材保持枠１１の裏面のうち当接ヘッド７１ａに対向する箇所に鉄製プレート等を配置して被吸着領域（図示せず）を設定し、該被吸着領域に当接ヘッド７１ａを吸着できるように構成されている。
【００２３】
次に、開閉側球流下路３５の周辺の構成、特に開閉側球流下路３５の上流開口３５ａの周辺の構成について説明する。
開閉側球流下路３５の下方には、図６に示すように、開閉側流出規制機構７７を上流開口３５ａに臨ませて設けている。開閉側流出規制機構７７は、上流開口３５ａへ出没可能な開閉側ストッパー７８と、該開閉側ストッパー７８を挟んで開閉側球流下路３５とは反対側に配置され、該開閉側ストッパー７８を出没方向（上下方向）へガイドする開閉側ガイド部７９とを備えて構成されている。そして、開閉側ストッパー７８のうち後述する開閉側出没片（流出規制部材）８０を上流開口３５ａ、詳しくは上流開口３５ａのうち透明部材保持枠１１の裏寄りの位置へ突出して遊技球が開閉側球流下路３５から流出することを規制する流出規制状態（図６（ａ）参照）と、開閉側出没片８０を上流開口３５ａから引き抜いて遊技球が開閉側球流下路３５から流出することを許容する流出許容状態（図６（ｂ）参照）とに変換できるように構成されている。
【００２４】
開閉側ストッパー７８は、図７および図８に示すように、起立平板状のスライドベース８３を備え、該スライドベース８３の上端には、縦長な櫛歯状の開閉側出没片８０を上流開口３５ａの幅方向に沿って複数本（本実施形態では３本）並べて設けるとともに、スライドベース８３の上方へ向けて延設している。また、開閉側出没片８０の幅（左右幅）を出没空間部４８よりも狭く設定するとともに、隣り合う開閉側出没片８０の間隔を遊技球よりも狭く、且つ球支持突条部４５の幅よりも広く設定し、透明部材保持枠１１を閉じた状態で枠側ストッパー５２へ前方から重合するように構成されている。そして、流出規制状態では開閉側出没片８０を上流開口３５ａへ突出し、流出許容状態では開閉側出没片８０を上流開口３５ａから引き抜いて上流開口３５ａの下縁部および球転動部４６よりも下方へ位置するように構成されている。さらに、開閉側出没片８０の上端部を尖らせて球列間挿入部８４を形成し、該球列間挿入部８４から開閉側出没片８０を上流開口３５ａへ挿入可能としている。
【００２５】
また、スライドベース８３の両側部には縦向きのガイド片８５を備え、スライドベース８３の下部には、薄肉円板形状の第１磁性体（永久磁石）８６を止着し、該第１磁性体８６のうち開閉側ガイド部７９側に位置する円形面（ガイド部対向面）８６ａが外方へ露出した状態、且つガイド部対向面８６ａがスライドベース８３の表面と同一平面上に位置する状態に設定している（図７（ｂ）および図８参照）。さらに、スライドベース８３の上部のうち開閉側ガイド部７９に対向し得る部分にはストッパー係合部８７をスライドベース８３を挟んで開閉側球流下路３５とは反対側、言い換えると透明部材保持枠１１を閉じた状態で枠側ストッパー５２が位置する方向へ向けて延設している。なお、ストッパー係合部８７は、２本のロッドを上下に離間して構成されており、上下のロッドの間にストッパーベース５６の前端部を遊嵌して枠側ストッパー５２と開閉側ストッパー７８とを係合可能としている。
【００２６】
開閉側ガイド部７９は、図７および図８に示すように、両側部（左右両側部）に縦長なガイド溝８９を形成し、該ガイド溝８９にガイド片８５を摺動可能な状態で遊嵌して、スライドベース８３とともに開閉側ストッパー７８を上下方向へ案内できるように構成されている。また、開閉側ガイド部７９の上部には矩形状の切欠部９０を形成し、開閉側ストッパー７８の上下移動時には切欠部９０内にストッパー係合部８７を移動可能とし、流出許容状態においては、切欠部９０の下縁部にストッパー係合部８７の基端部を係止して、開閉側ガイド部７９から開閉側ストッパー７８が下方へ脱落することを阻止している（図８（ａ）参照）。さらに、切欠部９０の下縁部の近傍には、厚肉円形状の第２磁性体（永久磁石）９２をスライドベース８３から開閉側ストッパー７８側へ突出した状態、且つ開閉側ストッパー７８との間に僅かな隙間を形成する状態で止着し（図７（ａ）および図８（ａ）参照）、第２磁性体９２のうち開閉側ストッパー７８に対向し得るストッパー対向面９２ａの磁極を、第１磁性体８６のガイド部対向面８６ａと同じ磁極に設定している。
【００２７】
そして、開閉側流出規制機構７７は、流出許容状態（開閉側ストッパー７８を下げた状態）では第１磁性体８６を第２磁性体９２よりも下方、具体的には、第１磁性体８６を開閉側ガイド部７９の下部と同じ高さの位置に配置し（図８（ａ）参照）、流出規制状態（開閉側ストッパー７８を上げた状態）では第１磁性体８６を第２磁性体９２よりも上方へずれた位置に配置し、第２磁性体９２の下端が第１磁性体８６の上端と同じ高さに位置するように設定されている（図８（ｂ）参照）。
【００２８】
このような構成の枠側流出規制機構５０および開閉側流出規制機構７７を備えて、透明部材保持枠１１を前面枠３に対して閉じると、図３（ａ）に示すように、球転動部４６と球貯留ユニット１３の開閉側球流下路３５とが近接または当接して球貯留空間部３３の底部が球転動部４６よりも僅かに低い位置で球転動部４６の前方に配置される。また、ストッパー係合部８７がストッパーベース５６の前端部を挟み込んで枠側ストッパー５２と開閉側ストッパー７８とを連動可能な状態に係合する。さらに、透明部材保持枠１１が移動規制機構６４の出没変換部５３の当接ヘッド７１ａ（当接ロッド７１）を後方の前面枠３側へ押圧し、透明部材保持枠１１の被吸着領域に当接ヘッド７１ａを吸着した状態となる。すると、出没変換部５３は、図５（ｃ）および（ｄ）に示すように、当接ヘッド７１ａを後方（図５（ｄ）中、矢印Ａで示す方向）へ移動するとともに連結部材７２を上方（図５（ｄ）中、矢印Ｂで示す方向）へ回動して、係合ロッド７０を上方（図５（ｃ），（ｄ）中、矢印Ｃで示す方向）へ移動する。さらに、上昇した係合ロッド７０の係合突起７３により係合受部６８（詳しくは係合受部６８の上縁部）を押し上げて、第１アーム６３ａを付勢部材６６の付勢力に抗して下方（図５（ｃ）中、矢印Ｄで示す方向）へ回動する。すると、第１アーム６３ａの先端に接続された枠側ストッパー５２を下方へ移動し、枠側出没片５５を枠側球流下路２５の下流開口２５ａから出没空間部４８を通して下方へ引き抜く（図３（ａ）参照）。すなわち、当接ロッド７１を押圧する動作に連動して係合ロッド７０が係合突起７３を介して移動アーム６３を操作して枠側出没片５５を下流開口２５ａから引き抜く。この結果、枠側流出規制機構５０は、流出許容状態へ変換し、遊技球が枠側球流下路２５の下流開口２５ａから流出すること、ひいては球貯留空間部３３へ流下することを許容する。
【００２９】
そして、枠側ストッパー５２が下方へ移動すると、ストッパーベース５６が、開閉側ストッパー７８を上方へ押し上げようとする力、具体的には、第１磁性体８６のガイド部対向面８６ａと、該ガイド部対向面８６ａよりも下方に位置する第２磁性体９２のストッパー対向面９２ａと間に発生する磁力（反発力）に抗してストッパー係合部８７を押し下げて、開閉側ストッパー７８をガイド溝８９（開閉側ガイド部７９）に沿って下方へ移動する。引き続き、ストッパーベース５６がストッパー係合部８７を押し下げて、第１磁性体８６を第２磁性体９２よりも下方へ移動すると、第１磁性体８６と第２磁性体９２との間に発生する反発力が開閉側ストッパー７８を下方へ移動する向きに作用する。したがって、開閉側ストッパー７８は、ストッパーベース５６の押し下げ力に加えて、第１磁性体８６と第２磁性体９２との間の磁力により移動し、開閉側出没片８０を開閉側球流下路３５の上流開口３５ａから下方へ引き抜く（図３（ａ）参照）。この結果、開閉側流出規制機構７７は、流出許容状態へ迅速に変換し、枠側球流下路２５から流下してきた遊技球が開閉側球流下路３５の上流開口３５ａへ流入することを許容する。
【００３０】
また、透明部材保持枠１１を十分に閉じることで第１アーム６３ａをさらに下方へ回動すると、この回動により枠側ストッパー５２が下死点に到達するとともに、係合突起７３が係合受部６８の上縁部を押し退けて上縁部の側部に当接する（図５（ｅ），（ｆ）参照）。すると、移動規制機構６４（具体的には係合ロッド７０の係合突起７３）が第１アーム６３ａを下がった状態でロックして枠側ストッパー５２（枠側出没片５５）の引き抜き状態を維持し、付勢部材６６の付勢力により第１アーム６３ａが上方へ移動すること、ひいては枠側ストッパー５２と、該枠側ストッパー５２に係合する開閉側ストッパー７８とが上昇することを規制する。したがって、枠側流出規制機構５０が流出許容状態に維持されるとともに、開閉側流出規制機構７７が流出許容状態に維持される。
【００３１】
一方、透明部材保持枠１１を前面枠３に対して開くと、図３（ｂ）に示すように、球転動部４６と球貯留ユニット１３の開閉側球流下路３５とが離れる。そして、球転動部４６と開閉側球流下路３５とが離れた直後、言い換えると、この離間距離が遊技球の直径よりも広くなる前に、当接ロッド７１が当接ヘッド７１ａを透明部材保持枠１１の被吸着領域へ吸着した状態で収容ケース６１から引き出されて透明部材保持枠１１とともに前方へ移動する。すると、出没変換部５３は、当接ロッド７１の引き出し動作に連動して係合ロッド７０を移動して、第１アーム６３ａの移動を許容する。具体的には、当接ヘッド７１ａを前方（図５（ｄ）中、矢印Ｅで示す方向）へ移動するとともに連結部材７２を下方（図５（ｄ）中、矢印Ｆで示す方向）へ回動して係合ロッド７０を下方（図５（ｃ），（ｄ）中、矢印Ｇで示す方向）へ移動する。そして、下降した係合ロッド７０の係合突起７３を係合受部６８の上縁部から下方へ外して第１アーム６３ａの回動規制を解除する（図５（ｃ），（ｄ）参照）。第１アーム６３ａの回動規制が解除されると、第１アーム６３ａが付勢部材６６の付勢力により上方（図５（ｃ）中、矢印Ｈで示す方向）へ迅速に回動し、この回動に伴って枠側ストッパー５２を上昇させ、出没空間部４８を通して枠側出没片５５を下流開口２５ａへ突出する（図３（ｂ）および図５（ａ），（ｂ）参照）。この結果、枠側流出規制機構５０は、流出規制状態へ変換し、球転動部４６と開閉側球流下路３５との間隔が遊技球の直径よりも広くなる前に（すなわち透明部材保持枠１１と前面枠３との間から遊技球が落下可能となる前に）遊技球が枠側球流下路２５から球貯留空間部３３へ向けて流下することを規制する。
【００３２】
このようにして、枠側流出規制機構５０を備えたパチンコ遊技機１では、透明部材保持枠１１の開閉操作とは別個の操作を行わずに球貯留空間部３３への遊技球の流下を規制したり許容したりすることができる。したがって、透明部材保持枠１１の開閉操作が必要なパチンコ遊技機１のメンテナンス作業を効率よく行うことができる。また、吸着部として機能する当接ヘッド７１ａを吸着して透明部材保持枠１１と枠側流出規制機構５０と係合するので、透明部材保持枠１１が前面枠３に対して予め設定された取付位置から上下方向あるいは左右方向にずれて取り付けられていたとしても、透明部材保持枠１１を開閉したにも拘らず当接ロッド７１が移動しないという不具合を阻止することができる。これにより、枠側ストッパー５２（枠側出没片５５）の出没動作、ひいては枠側球流下路２５からの遊技球の流下の規制動作あるいは許容動作を支障なく行うことができる。
【００３３】
そして、枠側ストッパー５２が上方へ移動すると、ストッパーベース５６がストッパー係合部８７を押し上げて、開閉側ストッパー７８をガイド溝８９（開閉側ガイド部７９）に沿って上方へ移動する。さらに、第１磁性体８６が第２磁性体９２の近傍に近づいた時には、開閉側ストッパー７８を下方へ押し上げようとする力、具体的には、第１磁性体８６のガイド部対向面８６ａと、該ガイド部対向面８６ａよりも下方に位置する第２磁性体９２のストッパー対向面９２ａと間に発生する磁力（反発力）に抗してストッパー係合部８７を押し上げて、開閉側ストッパー７８をガイド溝８９（開閉側ガイド部７９）に沿って上方へ移動する。引き続き、ストッパーベース５６がストッパー係合部８７を押し上げて、第１磁性体８６を第２磁性体９２よりも上方へ移動すると、開閉側ストッパー７８は、開閉側出没片８０を開閉側球流下路３５の上流開口３５ａへ突出する（図３（ｂ）参照）。この結果、開閉側流出規制機構７７は、流出規制状態へ変換し、遊技球が上流開口３５ａから流出することを規制する。
【００３４】
さらに、透明部材保持枠１１を開くと、透明部材保持枠１１を前方へ引く力が当接ヘッド７１ａの吸着力よりも大きくなり、当接ヘッド７１ａが透明部材保持枠１１から離れる。また、ストッパー係合部８７がストッパーベース５６から前方へ外れて、枠側ストッパー５２と開閉側ストッパー７８との係合状態が解除される。したがって、透明部材保持枠１１を大きく開いて前面枠３の前面を開放することができる。このとき、透明部材保持枠１１の開閉側流出規制機構７７においては、第１磁性体８６が第２磁性体９２よりも上方に位置し、第１磁性体８６と第２磁性体９２との間に発生する磁力、具体的には、同じ磁極に設定されたストッパー対向面９２ａとガイド部対向面８６ａとの間に発生する反発力により、第１磁性体８６が下がって第２磁性体９２へ近づくことを阻止される。これにより、開閉側ストッパー７８が自重で下方へ移動することを阻止し、開閉側出没片８０を開閉側球流下路３５の上流開口３５ａへ突出した突出状態、すなわち、開閉側流出規制機構７７の流出規制状態を維持する。したがって、透明部材保持枠１１を開いた状態で開閉側ストッパー７８が不用意に開閉側球流下路３５の上流開口３５ａから引き抜かれる不都合、ひいては開閉側球流下路３５の上流開口３５ａから遊技球が落下する不都合を阻止することができる。
【００３５】
なお、透明部材保持枠１１は、図９に示すように、当接ヘッド７１ａに対向する箇所に後面（前面枠本体４側の面）が被吸着領域となる被吸着部材９６を配置し、該被吸着部材９６と当該透明部材保持枠１１との間にコイルばね等の開閉側付勢部材９７を備え、被吸着部材９６を開閉側付勢部材９７により後方の当接ヘッド７１ａ側へ付勢してもよい。このようにすれば、透明部材保持枠１１が前面枠３に対して予め設定された取付位置から前後方向にずれて取り付けられていたり、あるいは枠側流出規制機構５０と閉状態の透明部材保持枠１１との距離が予め設定された距離よりも広く開いて配置されたりしたとしても、被吸着部材９６が予め設定された位置よりも前方に配置されて透明部材保持枠１１が当接ロッド７１を押圧しないという不具合、さらには、被吸着部材９６が予め設定された位置よりも後方に配置されて当接ロッド７１に突っ掛かって、透明部材保持枠１１が十分に閉じられないという不具合を阻止することができる。したがって、透明部材保持枠１１を閉じたにも拘らず枠側ストッパー５２が枠側球流下路２５の下流開口２５ａから引き抜かれないという不具合を抑えることができ、透明部材保持枠１１の閉状態時に遊技球を枠側球流下路２５から球貯留空間部３３へ支障なく流下させることができる。
【００３６】
また、枠側流出規制機構５０は、当接ロッド７１に当接ヘッド７１ａを透明部材保持枠１１側へ向けて揺動可能な状態で備えるとともに、吸着側付勢部材９９により透明部材保持枠１１側へ付勢してもよい。例えば、図１０に示す移動規制機構６４においては、当接ヘッド７１ａの内部にヘッド軸部１００を当接ロッド７１の延設方向とは直交する方向へ延設し、当接ロッド７１の前端（透明部材保持枠１１側の端部）には軸受部１０１を設け、該軸受部１０１にヘッド軸部１００を遊嵌して当接ロッド７１を前後方向へ揺動できるように構成されている。さらに、当接ロッド７１のうち当接ヘッド７１ａ寄り（前寄り）の箇所を連結部材７２寄り（後寄り）の箇所よりも細く形成して段差部１０２を形成し、該段差部１０２に吸着側付勢部材９９の一端を係止するとともに、当接ヘッド７１ａの後端に吸着側付勢部材９９の他端を係止している。
【００３７】
このような構成を備えて、吸着側付勢部材９９の付勢力により当接ヘッド７１ａを常時透明部材保持枠１１側へ付勢すれば、透明部材保持枠１１が前面枠３に対して予め設定された取付位置から前後方向にずれて取り付けられていたとしても、当接ヘッド７１ａが透明部材保持枠１１に吸着しないという不具合を阻止することができる。したがって、透明部材保持枠１１を閉じたにも拘らず枠側ストッパー５２（枠側出没片５５）が枠側球流下路２５の下流開口２５ａから引き抜かれないという不具合を抑えることができ、透明部材保持枠１１の閉状態時に遊技球を枠側球流下路２５から球貯留空間部３３へ支障なく流下させることができる。また、当接ヘッド７１ａに透明部材保持枠１１を衝突させたとしても、この衝突時の衝撃を吸着側付勢部材９９により吸収することができる。これにより、透明部材保持枠１１から受ける衝撃で移動規制機構６４が損傷する不都合をなくすことができる。
【００３８】
ところで、上記実施形態では、移動アーム６３を収容ケース６１内に軸着して回動するように構成したが、本発明はこれに限定されない。要は、移動アーム６３の移動により枠側ストッパー５２を移動できればどのような構成であってもよく、例えば、移動アーム６３をスライドして枠側ストッパー５２を枠側球流下路２５の下流開口２５ａに出没できるようにしてもよい。また、係合ロッド（規制操作部）７０は、上下動して移動アーム６３を操作するように構成されたが、本発明はこれに限定されず、移動アーム６３を操作して移動を規制可能であればどのような構成であってもよい。さらに、当接ヘッド７１ａを透明部材保持枠１１へ吸着させるための構成はどのようなものでもよい。例えば、当接ヘッド７１ａの先端に吸盤あるいは粘着部材を設けて当接ヘッド７１ａを透明部材保持枠１１へ吸着できるように構成してもよい。
【００３９】
ところで、上記実施形態では、第１磁性体８６のガイド部対向面８６ａと第２磁性体９２のストッパー対向面９２ａとを同じ磁極に設定し、第１磁性体８６と第２磁性体９２の間に生じる反発力を利用して開閉側流出規制機構７７の流出規制状態を維持可能としたが、本発明はこれに限定されない。要は、第１磁性体８６と第２磁性体９２の間に発生する磁力により流出規制状態を維持できれば、どのような設定であってもよい。例えば、第１磁性体８６のガイド部対向面８６ａと第２磁性体９２のストッパー対向面９２ａとを同じ磁極に設定し、流出規制状態における第１磁性体８６と第２磁性体９２とを同じ高さに位置するように設定すれば、第１磁性体８６と第２磁性体９２との間に生じる吸着力を利用して開閉側ストッパー７８を開閉側出没片８０が上流開口３５ａへ突出した突出状態に維持することができる。具体的には、第１磁性体８６と第２磁性体９２との間に生じる吸着力により、開閉側ストッパー７８が開閉側ガイド部７９側に引き寄せられて、ガイド片８５がガイド溝８９に押圧される。そして、この押圧力に起因してガイド片８５とガイド溝８９との間に摩擦力が発生して開閉側ストッパー７８の自重に抗する。したがって、開閉側ストッパー７８が不用意に自重により下方へ移動する不都合、ひいては開閉側球流下路３５の上流開口３５ａから遊技球が落下する不都合を阻止することができる。
【００４０】
なお、流出規制状態における第１磁性体８６と第２磁性体９２とが接触（吸着）するように設定すれば、第１磁性体８６と第２磁性体９２との間の摩擦力により開閉側ストッパー７８の自重に抗して流出規制状態を維持することができる。したがって、ガイド片８５とガイド溝８９とが押圧力により損傷すること、ひいては開閉側ストッパー７８が円滑にスライドできなくなる不都合を抑制することができて好適である。
【００４１】
また、上記実施形態では、枠側ストッパー５２の枠側出没片５５および開閉側ストッパー７８の開閉側出没片８０をそれぞれ櫛歯状に設定したが、本発明はこれに限らず、枠側球流下路２５内の遊技球の流出や開閉側球流下路３５内の遊技球の流出を規制可能であれば、どのような構成であってもよい。さらに、ストッパー係合部は、開閉側ストッパー７８に設けることに限定されず、開閉側ストッパー７８と枠側ストッパー５２とを係合できればどのような構成であってもよい。例えば、枠側ストッパー５２に設けてもよい。そして、開閉側球流下路３５を備えた開閉体として球貯留空間部３３を備えた透明部材保持枠１１を例示したが、本発明はこれに限定されない。本発明における開閉体は、前面枠３に対して開閉可能であり、且つ遊技球を流下可能な構成要素を備えていればどのようなものでもよく、例えば、遊技球を貯留（流下）可能な球貯留皿を備え、透明部材保持枠１１とは別個に前面枠３へ軸着された球貯留ユニットであってもよい。
【００４２】
そして、上記実施形態では、代表的な遊技機であるパチンコ遊技機を例にして説明したが、本発明はこれに限らず、前面枠と、該前面枠に対して開閉可能な開閉体と、該開閉体に設けられた開閉側球流下路と、前面枠側に設けられた枠側球流下路とを備え、開閉体を閉じると開閉側球流下路と枠側球流下路とが連通して、遊技球を枠側球流下路から開閉側球流下路へ流下可能となる遊技機であればどのような遊技機でもよい。例えば、アレンジボール式遊技機、雀球式遊技機等の遊技機であってもよい。
【００４３】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４４】
【図１】パチンコ遊技機の正面図である。
【図２】透明部材保持枠と遊技盤カバーとを開いたパチンコ遊技機の斜視図である。
【図３】（ａ）は枠側流出規制機構および開閉側流出規制機構を流出許容状態に変換した状態の断面図、（ｂ）は枠側流出規制機構および開閉側流出規制機構を流出規制状態に変換した状態の断面図である。
【図４】（ａ）は枠側球流下路および枠側流出規制機構の斜視図、（ｂ）は枠側流出規制機構の分解斜視図である。
【図５】枠側流出規制機構の状態を示す概略図であり、（ａ）は流出規制状態の正面図、（ｂ）は（ａ）の側面図、（ｃ）は流出規制状態と流出許容状態との中間状態の正面図、（ｄ）は（ｃ）の側面図、（ｅ）は流出許容状態の正面図、（ｆ）は（ｅ）の側面図である。
【図６】開閉側流出機構の説明図であり、（ａ）は流出規制状態の斜視図、（ｂ）は流出許容状態の斜視図である。
【図７】開閉側流出機構の分解斜視図であり、（ａ）は前方から見た分解斜視図、（ｂ）は後方から見た分解斜視図である。
【図８】開閉側流出機構の断面であり、（ａ）は流出規制状態の断面図、（ｂ）は流出許容状態の断面図である。
【図９】透明部材保持枠に設けられた被吸着部材および保持枠側付勢部材の説明図である。
【図１０】当接ロッドに吸着側付勢部材を備えた球流下規制機構の説明図である。
【符号の説明】
【００４５】
１  パチンコ遊技機
３  前面枠
１１  透明部材保持枠
１３  球貯留ユニット
２５  枠側球流下路
２５ａ  下流開口
３１  球貯留皿
３５  開閉側球流下路
３５ａ  上流開口
４５  球支持突条部
４６  球転動部
４８  出没空間部
５０  枠側流出規制機構
５２  枠側ストッパー
５３  出没変換部
５５  枠側出没片
５６  ストッパーベース
６３  回動アーム
６４  移動規制機構
６６  付勢部材
６８  係合受部
７０  係合ロッド
７１  当接ロッド
７１ａ  当接ヘッド
７１ｂ  吸着部材
７３  係合突起
７７  開閉側流出規制機構
７８  開閉側ストッパー
７９  開閉側ガイド部
８０  開閉側出没片
８３  スライドベース
８４  球列間挿入部
８６  第１磁性体
８６ａ  ガイド部対向面
８７  ストッパー係合部
８９  ガイド溝
９２  第２磁性体
９２ａ  ストッパー対向面
９６  被吸着部材
９７  開閉側付勢部材
９９  吸着側付勢部材
１００  ヘッド軸部
１０１  軸受部
１０２  段差部
【図１】
0005017586.tif 000002
【図２】
0005017586.tif 000003
【図３】
0005017586.tif 000004
【図４】
0005017586.tif 000005
【図５】
0005017586.tif 000006
【図６】
0005017586.tif 000007
【図７】
0005017586.tif 000008
【図８】
0005017586.tif 000009
【図９】
0005017586.tif 000010
【図１０】
0005017586.tif 000011